(57)【要約】【課題】  熱交換器の前側への熱気の回り込み防止効果を高めることができる車体前部構造を提供する。【解決手段】  ラジエータ（熱交換器）３とエンジン８の間にスペースＳに、熱気排出ダクト１２を設置したため、スペースＳ内の熱気の排出が促進される。そのため、スペースＳ内の圧力が低下し、スペースＳからラジエータ４の前側へ向けた熱気の回り込み自体が減少する。従って、熱気の回り込み防止効果を従来よりも高めることができる。【選択図】        図１
2005246995.tif 000002
【特許請求の範囲】
【請求項１】
エンジンルーム（Ｅ）の前方位置に熱交換器（３）が配置され、熱交換器（３）の後方にエンジン（８）が配された車体前部構造であって、
前記熱交換器（３）とエンジン（８）との間のスペース（Ｓ）に、前端口（１２ａ）がスペース（Ｓ）内に臨まされ且つ後端口（１２ｂ）がスペース（Ｓ）外に臨まされた熱気排出ダクト（１２）を設置したことを特徴とする車体前部構造。
【請求項２】
請求項１に記載の車体前部構造であって、
熱交換器（３）の後方に、熱交換器（３）に前方から空気を導入するためのファン（７）が設けられていることを特徴とする車体前部構造。
【請求項３】
請求項１又は請求項２に記載の車体前部構造であって、
フロントバンパ（１）の左右両側に位置する空気取入口（２）から後方に向けて冷気導入ダクト（１３）をそれぞれ形成すると共に、該冷気導入ダクト（１３）の内部に、熱交換器（３）を通過しない空気（Ａ）を空気取入口（２）から吸引するファン（１６）を設け、且つ冷気導入ダクト（１３）の後端の空気排出口（１４）を熱気排出ダクト（１２）の後端口（１２ｂ）の前方近接位置に臨ませ、該空気排出口（１４）から排出した空気（Ａ）を、車両の前輪（１０）の内側に位置するブレーキ部（１１）に向けて斜め後方へ吹出し自在なことを特徴とする車体前部構造。
【請求項４】
請求項３に記載の車体前部構造であって、
冷気導入ダクト（１３）の内部に小型熱交換器（１５）が設けられていることを特徴とする車体前部構造。
【発明の詳細な説明】
【技術分野】
【０００１】
本発明は、エンジンルームから熱交換器の前側へ回り込む熱気の吹き返しを確実に防止する車体前部構造に関するものである。
【背景技術】
【０００２】
自動車のエンジンルームの前方には、熱交換器としてのコンデンサ及びラジエータが設置され、その後方にエンジンが設置されている。エンジンで温められたエンジン冷却水はラジエータに循環され、そこを通過する空気により冷却されて再度エンジンに戻される。ラジエータを通過した空気は、ラジエータにより暖められるが、運転中のエンジン温度よりは低いため、ラジエータとエンジンとの間のスペースを通過した後、エンジンの周囲を通過して、エンジンを直接冷却する。
【０００３】
また、ラジエータの前面の左右両端には、前後方向に沿うパネル状のエアガイドがそれぞれ上下にわたって配置されている。このエアガイドは、車両停車中（アイドリング時）など、ラジエータを通過する空気量が少ない場合に、ラジエータとエンジンの間のスペースに充満したエンジンの熱気が、ラジエータの前側に回り込むのを防止する働きをする。エンジンの熱気がラジエータの前側に回り込むと、ラジエータを通過する空気の温度が高くなり、ラジエータの熱交換性能が低下するからである（例えば、特許文献1。）。
【特許文献１】特開２００２−２８６３９２号公報
【発明の開示】
【発明が解決しようとする課題】
【０００４】
しかしながら、このような従来の技術にあっては、ラジエータの前側への熱気の回り込み防止を、ラジエータの左右両端に設けたエアガイドのみで行っていたため、回り込み防止効果を高めるにはエアガイドの大型化が必要になる。ただし、周辺スペースの関係でエアガイドの大型化に限りがあるため、得られる回り込み防止効果に限界があった。
【０００５】
本発明は、このような従来の技術に着目してなされたものであり、熱交換器の前側への熱気の回り込み防止効果を高めることができる車体前部構造を提供するものである。
【課題を解決するための手段】
【０００６】
請求項１に記載の発明は、エンジンルームの前方位置に熱交換器が配置され、熱交換器の後方にエンジンが配された車体前部構造であって、前記熱交換器とエンジンとの間のスペースに、前端口がスペース内に臨まされ且つ後端口がスペース外に臨まされた熱気排出ダクトを設置したことを特徴とする。
【０００７】
請求項２に記載の発明は、熱交換器の後方に、熱交換器に前方から空気を導入するためのファンが設けられていることを特徴とする。
【０００８】
請求項３に記載の発明は、フロントバンパの左右両側に位置する空気取入口から後方に向けて冷気導入ダクトをそれぞれ形成すると共に、該冷気導入ダクトの内部に、熱交換器を通過しない空気を空気取入口から吸引するファンを設け、且つ冷気導入ダクトの後端の空気排出口を熱気排出ダクトの後端口の前方近接位置に臨ませ、該空気排出口から排出した空気を、車両の前輪の内側に位置するブレーキ部に向けて斜め後方へ吹出し自在なことを特徴とする。
【０００９】
請求項４に記載の発明は、冷気導入ダクトの内部に小型熱交換器が設けられていることを特徴とする。
【発明の効果】
【００１０】
請求項１に記載の発明によれば、熱交換器とエンジンとの間のスペースに、熱気排出ダクトを設置したため、スペース内の熱気の排出が促進される。そのため、スペース内の圧力が低下し、スペースから熱交換器の前側へ向けた熱気の回り込み自体が減少する。従って、熱気の回り込み防止効果を従来よりも高めることができる。
【００１１】
請求項２に記載の発明によれば、ファンにより、スペース内の熱気が更に熱気排出ダクトを介してスペース外へ排出されるため、熱気の回り込み防止効果が更に向上する。
【００１２】
請求項３に記載の発明によれば、熱交換器を通過しない空気（冷気）を内部のファンにより強制的に導入して、前輪のブレーキ部に向けて吹き出す冷気導入ダクトを形成し、そしてその空気排出口を、熱気排出ダクトの後端口の前方近接位置に臨ませるため、冷気導入ダクトの空気排出口から吹き出される空気の流れによるアスピレータ効果により、熱気排出ダクトからの熱気の排出が更に促進され、熱気の回り込み防止効果が更に向上する。
【００１３】
請求項４に記載の発明によれば、冷気導入ダクトの内部に小型熱交換器が設けられているため、ファンにより冷気導入ダクト内に導入した空気で、小型熱交換器を冷却することができる。
【発明を実施するための最良の形態】
【００１４】
エンジンルームの前方位置に熱交換器が配置され、熱交換器の後方にエンジンが配された車体前部構造であって、熱交換器の前側への熱気の回り込み防止効果を高めることができる車体前部構造を提供する、という目的を、前記熱交換器とエンジンとの間のスペースに、前端口がスペース内に臨まされ且つ後端口がスペース外に臨まされた熱気排出ダクトを設置したことにより、実現した。
【実施例１】
【００１５】
図１及び図２は、本願発明の第１実施例を示す図である。図１は、車体前部を示す概略図である。車体の最前部には、フロントバンパ１が設けられている。このフロントバンパ１の前面には、左右方向に複数の空気取入口２が形成されている。
【００１６】
フロントバンパ１の左右中央部における後方には、「熱交換器」としてのラジエータ３とコンデンサ４とが設置されている。コンデンサ４の左右両端部には、前方に向けてエアガイド５が形成されている。ラジエータ４の後面には、ファンシュラウド６にて覆われた左右一対のファン７が設けられている。ラジエータ３等の後方には、エンジンルームＥが形成されている。
【００１７】
エンジンルームＥの中央後部にエンジン８が設置され、このエンジン８の冷却水を前記ラジエータ４に循環している。コンデンサ５には、空調機器からの冷媒が循環される。ラジエータ３等とエンジン８との間には、僅かなスペースＳが形成されている。エンジンルームＥの左右両側には、車体骨格部材としてのサイドメンバ９が前後方向に沿って配置されている。エンジン８の左右両側には、前輪１０設けられている。前輪１０の内側には、ディスクとパッドから成るブレーキ部１１が設けられている。
【００１８】
そして、ラジエータ３等とエンジン８との間のスペースＳには、左右両側にそれぞれ熱気排出ダクト１２が設けられている。熱気排出ダクト１２は、サイドメンバ９の上方に位置している。この熱気排出ダクト１２は、基本的に後方が車幅方向外側へ向いた斜め方向で配置され、前方の前端口１２ａがスペースＳ内に臨まされ、後方の後端口１２ｂがスペースＳ外の前輪１０へ向けられている。
【００１９】
次に作用を説明する。車両走行時には、走行風（ラム圧）の作用により、フロントバンパ１の空気取入口２から空気Ａが導入され、そのまま空気流となって、ラジエータ３等を通過し、後方のエンジン８に送られる。空気Ａがラジエータ３等を通過することにより、ラジエータ３内を循環するエンジン冷却水や、コンデンサ４内を循環する空調冷媒が冷却される。また、ラジエータ３等を通過した空気Ａによりエンジン８が直接冷却される。
【００２０】
ラジエータ３等の後方には、一対のファン７が設けられているため、低速走行時、或いは車両停車中（アイドリング時）であって、このファン７を回転させることにより、空気Ａを強制的に吸引して、ラジエータ３等を冷却することができる。
【００２１】
そして、ファン７により空気Ａを強制的に導入したとしても、エンジン８の高負荷運転の後などは、エンジン８からの発熱量が多く、スペースＳ内に熱気が充満する場合がある。そのような場合でも、スペースＳに熱気排出ダクト１２が設置されているため、この熱気排出ダクト１２を通過して、スペースＳ内の熱気の排出が促進される。つまり、専用の熱気排出ダクト１２を設け、熱気が抵抗なくスムーズに排出可能な通路を確保したため、熱気の排出が従来よりも促進される。しかも、ファン７の風圧により熱気の排出が更に促進される。
【００２２】
従って、スペースＳの圧力が低下し、スペースＳからラジエータ３等の前側へ向けた熱気の回り込み自体が減少する。万一、回り込もうする熱気があっても、ラジエータ３等の左右両端部に本来的に設置されているエアガイド５により、回り込み（吹き返し）が阻止される。
【実施例２】
【００２３】
図３及び図４は、この発明の第２実施例を示す図である。フロントバンパ１の左右両端部には、空気取入口２から後方へ向けて冷気導入ダクト１３がそれぞれ形成されている。この冷気導入ダクト１３の後方は細くなっており、その後端の空気排出口１４は、前輪１０のブレーキ部１１に向けて斜め外側へ傾いた角度になっている。この冷気導入ダクト１３の空気排出口１４には、熱気排出ダクト１２が一体形成されている。冷気導入ダクト１３の空気排出口１４が、熱気排出ダクト１２の後端口１２ｂの前方に近接した状態で一体的に形成されている。
【００２４】
冷気導入ダクト１３の内部には、「小型熱交換器」としてのＡＴオイル用のオイルクーラ１５が設置され、そのオイルクーラ１５の後方には、冷気導入ダクト１３内に空気Ａを吸引するためのファン１６が設置されている。
【００２５】
このファン１６は、ブレーキ部１１の温度を検知するセンサーと、スペースＳ内の温度を検知するセンサーにより制御されるようになっている。
【００２６】
まず、ブレーキ部１１の温度が低い場合には、走行風（ラム圧）だけの作用により、空気取入口２からラジエータ３等を通過しない冷たい空気Ａ導入して、オイルクーラ１５を通過させた後に、空気排出口１４からブレーキ部１１へ向けて吹き付ける。冷気導入ダクト１３内のファン１６を回転させなくても、高速走行時には、ある程度の風量が期待できる。
【００２７】
そして、低中速で長い坂道を連続的にブレーキ制動しながら下るような場合には、ブレーキ部１１での発熱量が増すため、ブレーキ部１１の温度上昇をセンサーにより検知して、冷気導入ダクト１３内のファン１６を回転させる。すると、車速が低速又は中速でも、大量の空気Ａが冷気導入ダクト１３内に導入されて、それがブレーキ部１１に向けて吹き出されるため、ブレーキ部１１を確実に冷却することができる。オイルクーラ１５を通過する空気量が増すため、オイルクーラ１５の性能が向上する。
【００２８】
そして、前述のように、この冷気導入ダクト１３のファン１６は、ブレーキ部１１の温度だけでなく、スペースＳ内の温度が上昇した時も回転する。そうすると、冷気導入ダクト１３の空気排出口１４から斜め後方へ向けて空気Ａが勢い良く排出され、熱気排出ダクト１２ｂにおいて後方へ向けた空気Ａの流れが生じる。熱気排出ダクト１２の空気Ａの出口である後端口１２ｂが、この空気Ａの流れ中に置かれるため、アスピレータ効果により、熱気排出ダクト１２の後端口１２ｂからの熱気の排出が促進される。従って、スペースＳの圧力が低下し、スペースＳからラジエータ３等の前側へ向けた熱気の回り込み自体が減少し、熱気の回り込み防止効果が向上する。
【産業上の利用可能性】
【００２９】
以上の実施例では、スペースＳから少し出た位置に後端口１２ｂを有する短い形状の熱気排出ダクト１２を例にしたが、例えば熱気排出ダクト１２をもっと長く形成して、後端口１２ｂをもっと熱気の排出を促進させるような位置まで延長しても良い。また、小型熱交換器としてＡＴオイル用のオイルクーラ１５を例に説明したが、これに限定されるものではなく、コンデンサ、ラジエータ、インタークーラなどでも良い。
【図面の簡単な説明】
【００３０】
【図１】本発明の第１実施例に係る車体前部構造を示す概略平面図。
【図２】図1の熱気排出ダクトを示す斜視図。
【図３】本発明の第２実施例に係る車体前部構造を示す概略平面図。
【図４】図３の冷気導入ダクト及び熱気排出ダクトを示す斜視図。
【符号の説明】
【００３１】
１  フロントバンパ
２  空気取入口
３  ラジエータ（熱交換器）
４  コンデンサ（熱交換器）
７  ファン
８  エンジン
１０  前輪
１１  ブレーキ部
１２  熱気排出ダクト
１２ａ  前端口
１２ｂ  後端口
１３  冷気導入ダクト
１４  空気排出口
１５  オイルクーラ（小型熱交換器）
１６  ファン
Ａ  空気
Ｅ  エンジンルーム
Ｓ  スペース
【図１】
2005246995.tif 000003
【図２】
2005246995.tif 000004
【図３】
2005246995.tif 000005
【図４】
2005246995.tif 000006